(57)【要約】【課題】洗浄対象物の洗浄時に、飛散する塵埃による搬送不良を起こさずに、洗浄対象物を搬送する塵埃テーブルを提供することを目的とする。【解決手段】作業台２上に、ボールキャスター３が中空角パイプ４上に等間隔に複数個設けられている。エアコン等の洗浄対象物５を作業台２上に等間隔で平行に並べられた中空角パイプ４上に設けられたボールキャスター３上に載せて、除塵ブース１１内の洗浄領域１２に搬送し、図示はしていないが、エアノズル等により空気洗浄を行い、洗浄対象物５の表面に付着している塵埃を吹き飛ばし、洗浄対象物５の空気洗浄を行う。吹き飛ばされ、飛散した塵埃は、ボールキャスター３のガード８内に入り難く、ボールキャスター３のスムースな回転が維持され、ボールキャスター３上の洗浄対象物５のスムースな搬送ができることとなる。【選択図】図１
2014176786.tif 000002
【特許請求の範囲】
【請求項１】
作業台と、
前記作業台上に設けられた複数本の中空角パイプと、
前記中空角パイプ上に設けられたボールキャスターを備え、
前記中空角パイプは所定間隔をあけて等間隔に設けられ、
洗浄対象物を前記ボールキャスター上に載せて洗浄し搬送する除塵テーブル。
【請求項２】
空気洗浄を行う請求項１記載の除塵テーブル。
【請求項３】
請求項１または２記載の除塵テーブルを備えた除塵ブース。
【発明の詳細な説明】
【技術分野】
【０００１】
本発明は、空気洗浄する空気洗浄時に洗浄対象物を搬送する除塵テーブルおよびこの除塵テーブルを用いて除塵ブースに関するものである。
【背景技術】
【０００２】
従来、この種の除塵テーブルは、除塵テーブルとしての台車上に載置したワークを所定方向に移送し、そのワークにエアノズルによりエア流を噴出しワーク表面上に付着している粉塵を吹き飛ばすものが知られている（例えば、特許文献１参照）。
【先行技術文献】
【特許文献】
【０００３】
【特許文献１】特開平０２−０３５９６０号公報
【発明の概要】
【発明が解決しようとする課題】
【０００４】
このような従来の除塵テーブルにおいては、洗浄対象物を台車で搬送し、台車上の洗浄対象物をエナノズル等で空気洗浄を行う構成となっていたので、空気洗浄により、洗浄対象物の表面に付着していた塵埃が飛散し、その飛散した塵埃が台車のキャスタの軸受内、回転部内に入り込み、その入り込みによる詰まりが発生する。
【０００５】
その塵埃の入り込みによる詰まりにより、回転不良、すなわち、除塵テーブルとしての台車をスムースに搬送できないという課題を有していた。また、搬送後には、台車を回収し、元の搬送スタート位置に戻す必要がある。
【０００６】
また、台車ではなく、ローラキャスターによる洗浄対象物の搬送でも、台車と同様に、飛散した塵埃がローラキャスターの軸受内、回転部内に入り込み、ローラキャスターがスムースに回転できなくなり、洗浄対象物の搬送不良を起こすという課題を有していた。
【０００７】
そこで本発明は、上記従来の課題を解決するものであり、洗浄対象物の洗浄時に、回収の必要が無く、また、飛散する塵埃による搬送不良を起こさずに、洗浄対象物を搬送する塵埃テーブルを提供することを目的とする。
【課題を解決するための手段】
【０００８】
そして、この目的を達成するために、本発明は、作業台と、前記作業台上に設けられた複数本の中空角パイプと、前記中空角パイプ上に設けられたボールキャスターを備え、前記中空角パイプは所定間隔をあけて等間隔に設けられ、洗浄対象物を前記ボールキャスター上に載せて洗浄し搬送する除塵テーブルとしたものである。
【０００９】
これにより、洗浄対象物の洗浄時に、回収の必要が無く、また、飛散する塵埃による搬送不良を起こさずに、洗浄対象物を搬送することができるものである。
【００１０】
また、本発明は、空気洗浄を行うとしたものであり、これにより、洗浄対象物の空気洗浄時に、飛散する塵埃による搬送不良を起こさずに、洗浄対象物を搬送することができるものである。
【００１１】
また、本発明は、請求項１または２記載の除塵テーブルを備えた除塵ブースとしたものであり、これにより、洗浄対象物の搬送不良を起こさずに搬送できる除塵ブースを提供できるものである。
【発明の効果】
【００１２】
本発明によれば、作業台と、前記作業台上に設けられた複数本の中空角パイプと、前記中空角パイプ上に設けられたボールキャスターを備え、前記中空角パイプは所定間隔をあけて等間隔に設けられ、洗浄対象物を前記ボールキャスター上に載せて洗浄し搬送する除塵テーブルとしたことにより、洗浄による塵埃の飛散時でも、ボールキャスターのボールの回転が維持でき、洗浄時に円滑な洗浄対象物の搬送ができるという効果を得ることができる。
【図面の簡単な説明】
【００１３】
【図１】本発明の実施の形態１の除塵テーブルの洗浄対象物を搬送する概要を示す概要図
【図２】同除塵テーブルの洗浄対象物を搬送する横断面の概要を示す横断面概要図
【図３】同除塵ブースの概要を示す除塵ブースの概要図
【発明を実施するための形態】
【００１４】
本発明の請求項１記載の除塵テーブルは、作業台と、前記作業台上に設けられた複数本の中空角パイプと、前記中空角パイプ上に設けられたボールキャスターを備え、前記中空角パイプは所定間隔をあけて等間隔に設けられ、洗浄対象物を前記ボールキャスター上に載せて洗浄し搬送する除塵テーブルという構成を有する。
【００１５】
これにより、洗浄対象物の洗浄時に、ボールキャスターのボールの回転が維持でき、飛散する塵埃による搬送不良を起こさずに、洗浄対象物を搬送することができるという効果を奏する。
【００１６】
また、空気洗浄を行うという構成にしてもよい。これにより、洗浄対象物の空気洗浄時に、ボールキャスターのボールの回転が維持でき、飛散する塵埃による搬送不良を起こさずに、洗浄対象物を搬送することができるという効果を奏する。
【００１７】
また、請求項１または２記載の除塵テーブルを備えた除塵ブースという構成にしてもよい。これにより、洗浄対象物の搬送不良を起こさずに搬送できる除塵ブースを提供できるという効果を奏する。
以下、本発明の実施の形態について図面を参照しながら説明する。
【００１８】
（実施の形態１）
図１乃至図３に示すように、除塵テーブル１は、作業台２上に、ボールキャスター３が中空角パイプ４上に等間隔に複数個設けられている。ボールキャスター３が備えられた中空角パイプ４は作業台２上に、平行に搬送方向に複数個、等間隔、例えば３０〜８０ｍｍ間隔に設けられている。
【００１９】
平行に並べられた中空角パイプ４の間隔は、洗浄対象物５の搬送がスムースにできる程度に、洗浄対象物５の大きさ、重量等に合わせて決めれば良い。
【００２０】
図１中で、矢印は搬送方向を示しています。また、図３中で、矢印は空気の流れ方向を示しています。
【００２１】
中空角パイプ４は、例えば、アルミ製であり、略６０□×１，０００ｍｍＬ程度であり、中空角パイプ４上に、１２個のボールキャスター３が等間隔に設けられている。
【００２２】
ボールキャスター３の個数は、洗浄対象物５を円滑に搬送できるように、ボールキャスター３上に載せて搬送する洗浄対象物５の大きさ、重さ等に合わせて決めれば良く、中空角パイプ４の１ｍ当たり、略１０〜１５個程度である。
【００２３】
ボールキャスター３の寸法は、例えば、略φ５０ｍｍ×３５ｍｍＨ程度であり、ＳＵＳ、あるいは亜鉛鉄板等の枠６内に１個の主ボール７と図示はしていないが、複数の従ボールが設けられ、１個の主ボール７が複数の従ボールで支えられている。
【００２４】
主ボール７が回転すると主ボール７を支えている複数の従ボールも回転し、主ボール７が複数の従ボールによる支えを受けながらの回転が維持される。主ボール７の回転が維持されることで、主ボール７に載せられた、すなわちボールキャスター３に載せられた洗浄対象物５のスムースな搬送が維持されることになる。
【００２５】
主ボール７と従ボールは、例えば、クロムメッキ鋼球、ＳＵＳ等の鋼球である。主ボール７の略１／４〜１／３程度が上に出た状態で、主ボール７と従ボールは、クロムメッキ鋼板、亜鉛ミッキ鋼板等のガード８で包み込まれている。
【００２６】
ガード８は枠６内に設けられ、枠６内で図示はしていないがバネで支えられ、バネにより、主ボール７上に載せる洗浄対象物５を支え、クッション作用も有している。
【００２７】
主ボール７の略１／４〜１／３程度が上に出た状態で、主ボール７の周囲に略接してガード８が設けられガード８で包み込まれることにより、洗浄により飛散する塵埃がガード８内に入り難くなり、ガード８内の従ボールが塵埃汚染されず主ボール７の回転が維持される。
【００２８】
主ボール７とガード８は、主ボール７がスムースに回転でき、飛散する塵埃が主ボール７とガード８との間からガード８内に入り難い程度に接すれば良い。例えば、ガード８の円形の先端が線接触的に主ボール７の周囲に接すれば良い。
【００２９】
主ボール７は略φ３０ｍｍ程度であり、従ボールは略φ２〜７ｍｍｍ程度である。ボールキャスター３の枠６が中空角パイプ４上にネジ等で固定されている。枠６は台座付きであれば、中空角パイプ４へのネジ固定がし易くなる。
【００３０】
洗浄対象物５としては、室外機、室内機等の空調機、ブラウン管タイプのテレビ、薄型タイプのテレビ等がある。
【００３１】
エアコン等の洗浄対象物５を作業台２上に、略３０〜８０ｍｍ程度の等間隔で平行に並べられた中空角パイプ４上に設けられたボールキャスター３上に載せて、天井と周囲が囲われた除塵ブース１１内の洗浄領域１２に搬送する。
【００３２】
搬送された洗浄領域１２で、図示はしていないが、エアノズル等により空気洗浄を行い、洗浄対象物５の表面に付着している塵埃を吹き飛ばし、洗浄対象物５の空気洗浄を行う。
【００３３】
吹き飛ばされ、飛散した塵埃は、ボールキャスター３のガード８内に入り難く、ボールキャスター３のスムースな回転が維持され、ボールキャスター３上の洗浄対象物５のスムースな搬送ができることとなる。
【００３４】
空気洗浄が行われた洗浄対象物５はボールキャスター３により、洗浄領域１２から、例えば、次の洗浄工程領域、あるいは、別の作業工程領域等に搬送される。
【００３５】
除塵ブース１１内で飛散した塵埃は、等間隔で平行に並べられた中空角パイプ４間の間から作業台２下に落下し、除塵ブースの下方に設けられた吸込み口１３から吸込まれ、プレフィルタ１４でろ過され、送風機１５で昇圧される。
【００３６】
送風機１５で昇圧され、ＨＥＰＡフィルタ１６等の浄化手段１７で浄化され、除塵ブース１１の上方の吹出し口１８から浄化空気となって、除塵ブース１１内の洗浄領域１２、除塵ブース１１内で作業者が作業する作業者領域１９等の除塵ブース１１内に吹出され、循環する。
【００３７】
なお、洗浄領域１２と作業者領域１９の境界２０に透明ビニールシートの透明カーテン２１が天井２２から作業者の顔面下まで垂れ下がっている。
【００３８】
本実施例によれば、洗浄に伴って飛散する塵埃等の軸受け等の目詰まりによる洗浄対象物５の搬送阻害が防止され、洗浄対象物５の円滑な搬送、洗浄作業ができることになる。
【００３９】
また、台車による洗浄対象物５の搬送のように、洗浄対象物５の搬送後に、台車を回収し、元の搬送スタート位置に戻す必要が無い。
【００４０】
また、空気洗浄に伴って飛散する塵埃等の軸受け等の目詰まりによる洗浄対象物５の搬送阻害が防止され、洗浄対象物５の円滑な搬送、洗浄作業ができることになる。
【００４１】
また、除塵ブース１１内に除塵テーブル１を備えることで、除塵テーブル１上で搬送される洗浄対象物５の洗浄時に、除塵ブース１１内で飛散した塵埃が浄化され除塵ブース１１内に循環浄化空気として吹出され、除塵ブース１１内の円滑な浄化と洗浄対象物５の円滑な搬送が可能となる除塵ブース１１が提供できることとなる。
【産業上の利用可能性】
【００４２】
本発明にかかる除塵テーブルは、洗浄による塵埃の飛散時でも、ボールキャスターのボールの回転が維持でき、洗浄時に円滑な洗浄対象物の搬送を可能とするものであるので、粉塵、塵埃等が飛散する環境化での搬送に使用される除塵テーブル等として有用である。
【符号の説明】
【００４３】
１  除塵テーブル
２  作業台
３  ボールキャスター
４  中空角パイプ
６  枠
７  主ボール
８  ガード
１１  除塵ブース
【図１】
2014176786.tif 000003
【図２】
2014176786.tif 000004
【図３】
2014176786.tif 000005